(57)【特許請求の範囲】
【請求項１】
はかり本体（１）と、前記はかり本体（１）の底部に設けられる複数の支持脚（５）とデジタルはかり中央制御処理部と、前記支持脚（５）内部に備えられる重量センサとを有する趣味性多機能デジタルはかりにおいて、
複数の表示器（４）と表示器弾き出し機構とを備え、
前記はかり本体（１）は凹溝（９）を有し、該凹溝（９）の内側には前記表示器（４）が収納され、該凹溝（９）の底部には前記表示器弾き出し機構が設けられて前記表示器（４）と一体的に構成され、前記デジタルはかり中央制御処理部は、被測定者のデータに基づいて前記表示器弾き出し機構を制御して前記複数の表示器（４）のうちの１つを弾き出して、被測定者のデータを表示することを特徴とする趣味性多機能デジタルはかり。
【請求項２】
前記複数の表示器は、異なる色、異なる数値、あるいは異なる文字を用いて付番化することにより、異なるレベルを表すようにしたことを特徴とする請求項１に記載の趣味性多機能デジタルはかり。
【請求項３】
前記表示器（４）は、ケースと液晶モニタ芯体と回路基板を有することを特徴とする請求項１または２に記載の趣味性多機能デジタルはかり。
【請求項４】
前記表示器（４）と前記デジタルはかり中央制御処理部は、無線あるいは有線により接続され、前記デジタルはかり中央制御処理部は、前記はかり本体（１）の内部に設けられることを特徴とする請求項３に記載の趣味性多機能デジタルはかり。
【請求項５】
前記表示器弾き出し機構は、横梁（７）と、バネ（８）と、電磁気スイッチ（１１）とを有し、前記横梁（７）は、前記はかり本体（１）上の凹溝（９）の底部に設けられ、前記バネ（８）の一端は前記横梁（７）上に支持され、他端は前記表示器（４）の底端部に支持され、前記表示器（４）の後部にはカードガイド（１３）が設けられ、前記電磁気スイッチ（１１）は、前記はかり本体（１）の内部に設けられ、前記電磁気スイッチ（１１）上の突起している固定ブロック（１２）がカードガイド（１３）内へ押しつけられることにより電磁気スイッチ（１１）は前記デジタルはかり中央制御処理部からの制御を受けることを特徴とする請求項４に記載の趣味性多機能デジタルはかり。
【請求項６】
前記デジタルはかり中央制御処理部は、測定データや入力データを含む被測定者のデータに基づいて制御を実行することを特徴とする請求項５に記載の趣味性多機能デジタルはかり。
【請求項７】
前記はかり本体（１）のカバー（２）上面には電極チップ（３）が設けられ、前記電極チップ（３）の生体インピーダンス測定の電気回路を有して人体に関するパラメータを前記デジタルはかり中央制御処理部へインプットして計算処理を実行し、重量センサの重量測定の電気回路を有して人体の体重データを前記デジタルはかり中央制御処理部へインプットし、前記デジタルはかり中央制御処理部を介して、被測定者の体重と生体インピーダンス値を算出し、前記被測定者のインプットされた身長・年齢・性別に基づき、測定された体重データとを組み合わせて１つの総合数値を算出し、この総合数値と予め設定されたレベル参考値とを比較し、前記デジタルはかり中央制御処理部は、被測定者がどのレベルに該当するかを確定し、前記表示器弾き出し機構を制御して対応するレベルの表示器（４）を弾き出して被測定者の総合数値を表示することを特徴とする請求項４に記載の趣味性多機能デジタルはかり。
【請求項８】
前記デジタルはかり中央制御処理部は、数値インプットキーと接続され、該数値インプットキーは、１つの表示器（４）上に設けられることを特徴とする請求項４に記載の趣味性多機能デジタルはかり。
【請求項９】
前記デジタルはかり中央制御処理部は、無線あるいは有線通信パッケージと接続され、前記表示器（４）と有線あるいは無線通信を行うこと特徴とする請求項４に記載の趣味性多機能デジタルはかり。
【請求項１０】
前記デジタルはかり中央制御処理部は、ユーザメモリインプットキー（６）と接続されていること特徴とする請求項７に記載の趣味性多機能デジタルはかり。
【発明の詳細な説明】
【技術分野】
【０００１】
本発明は、趣味性多機能デジタルはかりに関する。
【背景技術】
【０００２】
現在のデジタルはかりは、はかり本体と、はかり本体底部に備えられる複数の支持脚と、支持脚内に設けられた圧力センサと、はかり本体上に設けられ体重を表示する表示部とを具備し、一般に、体重を測定する機能だけを有するか、あるいは、体重を測定する機能と脂肪を測定する機能の両方を有するものである。
【発明の概要】
【発明が解決しようとする課題】
【０００３】
しかし、上記の構成では、趣味性は一般に高くはなく、表示部は一般に完全に表に出ており、被測定者にとって、測定データがすぐに表示部に表示されるので、神秘的であるとか驚喜するといったような感情を抱くことなく、被測定者の探知への欲求を十分に引き出すこともできず、家庭で楽しむツールとして使うことはできない。
【課題を解決するための手段】
【０００４】
本発明では、はかり本体と、はかり本体の底部に設けられる複数の支持脚と、デジタルはかり中央制御処理部と、支持脚内部に設けられた重量センサを備える趣味性多機能デジタルはかりであって、複数の表示器と、表示器弾き出し機構を備えると共に、はかり本体は凹溝を有して凹溝の内側に前記表示器を収納可能とし、凹溝の底部には前記表示器弾き出し機構が設けられて前記表示器と一体的に構成となっており、前記デジタルはかり中央制御処理部は、被測定者のデータに基づいて前記表示器弾き出し機構を制御して複数の表示器のうちの１つを弾き出して、被測定者のデータを表示するものである。
また、前記複数の表示器は、互いに異なる色、あるいは数値、もしくは文字を用いて付番化することにより、異なるレベルを表すようにしたものである。
また、前記表示器は、ケースと液晶モニタ芯体と回路基板を有するものである。
また、前記表示器と前記デジタルはかり中央制御処理部とは無線あるいは有線で接続され、該デジタルはかり中央制御処理部は、はかり本体の内部に設けられるものである。
また、前記表示器弾き出し機構は、横梁と、バネと、電磁気スイッチとを有し、該横梁は、前記はかり本体上の凹溝底部に設けられ、前記バネの一端は横梁上に支持され、他端は前記表示器の底端部に支持され、前記表示器の後部にはカードガイドが設けられ、電磁気スイッチが前記はかり本体の内部に備えられ、前記電磁気スイッチ上の突起している固定ブロックが前記カードガイド内へ押しつけられることにより前記電磁気スイッチはデジタルはかり中央制御処理部からの制御を受けることができるものである。
また、前記デジタルはかり中央制御処理部は、測定データや入力データを含む被測定者のデータに基づいて制御を実行するものである。
また、前記はかり本体のカバー上面には電極チップが設けられ、該電極チップの生体インピーダンス測定の電気回路を有して人体に関するパラメータを前記デジタルはかり中央制御処理部へインプットして計算処理を実行し、重量センサの重量測定の電気回路を有して人体の体重データを前記デジタルはかり中央制御処理部へインプットし、前記デジタルはかり中央制御処理部を介して、被測定者の体重と生体インピーダンス値を算出し、被測定者のインプットされた身長・年齢・性別に基づき、測定された体重データとを組み合わせて１つの総合数値を算出して、この総合数値と予め設定されたレベル参考値とを比較し、前記デジタルはかり中央制御処理部は、被測定者がどのレベルに該当するかを確定し、前記表示器弾き出し機構を制御して対応するレベルの表示器を弾き出して被測定者の総合数値を表示するものである。
また、前記デジタルはかり中央制御処理部は、数値インプットキーと接続され、数値インプットキーは、１つの表示器上に設けられるものである。
また、前記デジタルはかり中央制御処理部は、無線あるいは有線通信パッケージと接続され、前記表示器と有線あるいは無線による通信を行うものである。
また、前記デジタルはかり中央制御処理部は、ユーザメモリインプットキーと接続されているものである。
【発明の効果】
【０００５】
本発明によれば、見えないように隠した複数の表示器を具備し、測定前は使用者には表示器は見ることはできず、測定完了後に、複数の表示器のうちの１つが弾き出されて使用者に見せるようにすることにより、神秘感があって驚喜し、被測定者の探知なる欲望を十分引き出すことができ、趣味性が高く、楽しむツールとして使うことができ、性能価格比も高い趣味性多機能デジタルはかりを提供することができる。
【図面の簡単な説明】
【０００６】
【図１】本発明の立体図である。
【図２】本発明のはかり表面の蓋を取り外した状態での立体図である。
【図３】図２において、１つの表示器を弾き出した状態での立体図である。
【図４】本発明の側面図である。
【図５】本発明の電気回路ブロック図である。
【図６】本発明のデジタルはかり中央制御処理部と表示器との通信原理を示す図である。
【発明を実施するための形態】
【０００７】
以下、本発明に対する具体的な実施形態について、図面を参照しながら詳細に説明をする。
図１ないし図６に示すように、本発明の実施形態に係る趣味性多機能デジタルはかりは、はかり本体１と、はかり本体１の底部に設けられる複数の支持脚５とデジタルはかり中央制御処理部と、はかり本体１上に備えられる蓋２と、支持脚５内部に備えられる重量センサとを具備すると共に、更に、複数の表示器４と、表示器弾き出し機構とを具備し、表示器４は、それぞれ第一表示器、第二表示器、第三表示器、第四表示器の４つの表示器を有し、表示器４とデジタルはかり中央制御処理部とは、無線あるいは有線通信が可能であり、そのデジタルはかり中央制御処理部ははかり本体１の内部に備えられる。
はかり本体１は凹溝９を有し、凹溝９の内側には表示器４が収納され、凹溝９の底部には表示器弾き出し機構が設けられて表示器４と一体的に構成され、デジタルはかり中央制御処理部は、被測定者のデータに基づいて表示器弾き出し機構を制御して複数の表示器４のうちの１つを弾き出して、被測定者のデータを表示する。
前記表示器４は、ケースと液晶モニタ芯体１０と回路基板１４とから構成され、はかり中央制御処理部は、はかり本体１の内部に設けられる。
表示器弾き出し機構は、横梁７と、バネ８と、電磁気スイッチ１１とを有し、横梁７は、はかり本体１上の凹溝９の底部に設けられ、バネ８の一端は横梁７上に支持され、他端は表示器４の底端部に支持され、表示器４の後方部分にはカードガイド１３が設けられ、電磁気スイッチ１１がはかり本体１の内部に設けられ、電磁気スイッチ１１上の突起している固定ブロック１２がカードガイド１３内へ押しつけられることにより電磁気スイッチ１１がデジタルはかり中央制御処理部からの制御を受けることができ、電磁気スイッチ１１上の固定ブロック１２の弾き出しと収縮を制御することにより、固定ブロック１２をカードガイド１３へ挿入あるいはカードガイド１３から退出させ、表示器４を凹溝９から弾き出しあるいは凹溝９へ収納させることができる。前記デジタルはかり中央制御処理部は、測定データや入力データを含む被測定者のデータに基づいて制御を実行する。
はかり本体１のカバー２上面には電極チップ３が設けられ、電極チップ３の生体インピーダンス測定の電気回路を有して人体に関するパラメータをデジタルはかり中央制御処理部へインプットして計算処理を実行し、重量センサの重量測定の電気回路を有して人体の体重データをデジタルはかり中央制御処理部へインプットし、デジタルはかり中央制御処理部を介して、被測定者の体重と生体インピーダンス値を算出し、被測定者のインプットされた身長・年齢・性別に基づいて、測定された体重データとを組み合わせて１つの総合数値を算出し、この総合数値と予め設定されたレベル参考値とを比較し、デジタルはかり中央制御処理部は、被測定者がどのレベルに該当するかを確定し、表示器弾き出し機構を制御して対応するレベルの表示器４を弾き出して被測定者の総合数値を表示する。デジタルはかり中央制御処理部は、数値インプットキーと接続され、数値インプットキーは、１つの表示器４上に設けることが可能である。
デジタルはかり中央制御処理部は、無線あるいは有線通信パッケージと接続され、表示器と有線あるいは無線による通信を行うことができる。表示器４の電気回路部分は、表示器制御処理部と、無線あるいは有線通信パッケージと、液晶モニタ芯体とを有し、デジタルはかり中央制御処理部は無線あるいは有線通信パッケージとも接続され、表示器４と無線あるいは有線による通信を行うことができるようになっている。はかり本体１の前面には、ユーザメモリインプットキー６が備えられ、ユーザメモリインプットキー６の出力端部はデジタルはかり中央制御処理部の入力端部と接続されている。ユーザメモリインプットキー６は、主に常時使用する人の入力データを記録するためのものであって、毎回使用する毎に数値インプットキーからの身長・年齢・性別データの入力を省略することによって、更に簡便に使用できるようにする。
デジタルはかり中央制御処理部は、レベル参考値の範囲を記憶しており、それぞれ、Ａ−Ｂは第一レベルを表し、被測定者は痩せ気味タイプに該当するものであって、第一表示器を対応させ、第一表示器は青色で表示する；Ｂ−Ｃは第二レベルを表し、被測定者は健康タイプに該当するものであって、第二表示器を対応させ、第二表示器は緑色で表示する；Ｃ−Ｄは第三レベルを表し、被測定者は良好やや肥満タイプに該当するものであって、第三表示器を対応させ、第三表示器はオレンジ色で表示する；Ｄ−Ｅは第四レベルを表し、被測定者は肥満タイプに該当するものであって、第四表示器を対応させ、第四表示器は赤色で表示する。
設けられる異なるレベルを表す複数の表示器４は、はかり本体１の中に外から見えないよう隠すように収納されており、センサが測定した人体に関するパラメータがデジタルはかり中央制御処理部へインプットされることにより、数値インプットキーを利用して被測定者の身長、年齢、性別データをインプットし、被測定者のインプットされた身長、年齢、性別データを被測定者の体重と抵抗値データと組み合わせて総合計算を実施し、１つの総合数値Ｆを得て、その総合数値Ｆと予め定められたレベル参考値Ａ、Ｂ、Ｃ、Ｄ、Ｅとを比較することによって、デジタルはかり中央制御処理部は、被測定者はどのレベルに該当するかを確定し、表示器弾き出し機構を制御して相応するレベルの表示器４を弾き出して被測定者の総合数値を表示させる。
このように、本発明の実施形態に係る趣味性多機能デジタルはかりによれば、測定前には使用者は表示器を見ることができなかったが、測定完了後、弾き出された１つの表示器でもって使用者に見せることにより、神秘感があって驚喜し、被測定者の探知なる欲望を十分引き出すことができ、趣味性が高く、楽しむツールとして使うことができ、コストパフォーマンスも高くすることができる。
【符号の説明】
【０００８】
１  はかり本体
２  カバー
３  電極チップ
４  表示器
５  支持脚
６  ユーザメモリインプットキー
７  横梁
８  バネ
９  凹溝
１０  液晶モニタ芯体
１１  電磁気スイッチ
１２  固定ブロック
１３  カードガイド
１４  回路基板
【図１】
0005177602.tif 000002
【図２】
0005177602.tif 000003
【図３】
0005177602.tif 000004
【図４】
0005177602.tif 000005
【図５】
0005177602.tif 000006
【図６】
0005177602.tif 000007